(57)【要約】 【課題】メインバッテリ交換中に省電力モードに移行させサブバッテリの電力供給量を制限できる電子機器を提供する。【解決手段】電子機器１は、筐体２と表示部３と電池蓋４と係止部５と係止状態検出部６とメインバッテリ７とサブバッテリ８と通知部９と撮像部１０とが備えられている。また、電子機器１には、制御部２０とメインバッテリ電圧検出部３０とメインバッテリ接続検出部３１とスイッチング部３２とサブバッテリ充電部３５とサブバッテリ電圧検出部３６とサブバッテリ電力変換装置３７とが実装されている。メインバッテリ８の交換時に、制御部２０は、ユーザが係止部５の筐体２からの係止状態を解除したことを係止状態検出部６が検出したと判定した場合、制御部２０の動作を通常モードから省電力モードへ移行する。【選択図】図２
2015023711.tif 000002
【特許請求の範囲】
【請求項１】
筐体と、
前記筐体に対して取り外し可能に収納され、電力供給に主として使用されるメインバッテリと、
前記筐体に対して取り外し可能であり、前記筐体への取り付け時に前記メインバッテリを覆う電池蓋と、
前記筐体内に収納され、前記メインバッテリによる電力供給のバックアップに使用されるサブバッテリと、
前記電池蓋が前記筐体に対する係止状態であるか否かを検出する係止状態検出部と、
前記メインバッテリおよび前記サブバッテリに対する制御を行う制御部と、を備え、
前記制御部は、前記係止状態検出部による前記係止状態の解除検出時に、当該制御部の動作を通常モードから省電力モードへ移行する、電子機器。
【請求項２】
請求項１に記載の電子機器であって、
画像を表示する表示部および画像を撮像する撮像部を更に備え、
前記省電力モードにおいて、前記制御部は少なくとも前記表示部および前記撮像部をオフにするとともに、当該制御部の動作クロック周波数を低下させる、電子機器。
【請求項３】
請求項１または２に記載の電子機器であって、
前記省電力モードにおいて、前記サブバッテリの残存容量を通知する通知部を更に備える、電子機器。
【請求項４】
請求項１から３のいずれか１項に記載の電子機器であって、
前記省電力モードにおいて、前記サブバッテリの残存容量が所定の値以下になった場合、前記制御部はスリープモードへ移行する、電子機器。
【請求項５】
請求項４に記載の電子機器であって、
前記スリープモード中に新しいメインバッテリが前記筐体に取り付けられた場合において、当該メインバッテリの残存容量が所定の値以上であり、かつ前記係止状態検出部が前記係止状態を検出した場合、前記制御部は前記通常モードへ移行する、電子機器。
【請求項６】
請求項５に記載の電子機器であって、
少なくとも前記新しく筐体に取り付けられたメインバッテリの残存容量が所定の値以上であることを含む情報を通知する通知部を更に備える、電子機器。
【請求項７】
請求項４から６のいずれか１項に記載の電子機器であって、
前記スリープモードにおいて、前記制御部が、制御処理に必要なクロックを停止または当該制御部の電源をオフし、当該電子機器の動作を一時停止させて消費電流を抑える、電子機器。
【請求項８】
請求項７に記載の電子機器であって、
前記省電力モードの時点において揮発メモリに記憶されたデータは、前記スリープモードへの移行後も保持される、電子機器。
【請求項９】
請求項１に記載の電子機器であって、
前記筐体内部の温度を検出する温度検出部を更に備え、
当該温度検出部により検出された温度が所定の範囲外である場合、前記制御部は該制御部の動作を前記通常モードからスリープモードへ移行する、電子機器。
【請求項１０】
請求項１から９のいずれか１項に記載の電子機器であって、
前記メインバッテリから前記制御部に接続され、当該メインバッテリの電力を前記制御部に供給する第１の電路と、
前記サブバッテリから前記制御部に前記第１の電路と並列関係で接続され、当該サブバッテリの電力を前記制御部に供給する第２の電路と、
前記第１の電路に設けられ、少なくとも前記省電力モードにおいて開放されるスイッチング部と、を更に備える、電子機器。
【請求項１１】
請求項１から９のいずれか１項に記載の電子機器であって、
前記メインバッテリから前記制御部に接続され、当該メインバッテリの電力を前記制御部に供給する第１の電路と、
前記サブバッテリから前記制御部に前記第１の電路と並列関係で接続され、当該サブバッテリの電力を前記制御部に供給する第２の電路と、
前記メインバッテリの当該電子機器への接続状態を検出するメインバッテリ接続検出部と、
前記第１の電路に設けられ、少なくとも前記メインバッテリ接続検出部による前記接続状態の解除検出時に開放されるスイッチング部と、を更に備える、電子機器。
【請求項１２】
請求項１０または１１に記載の電子機器であって、
前記通常モード時に前記メインバッテリの残存容量に対応したメインバッテリ電圧を検出するメインバッテリ電圧検出部と、
前記通常モード時に前記サブバッテリから前記第２の電路へ電力供給するためのサブバッテリ電力変換装置と、
前記メインバッテリより供給される電力で前記サブバッテリへの充電を行うサブバッテリ充電部と、を更に備え、
前記サブバッテリ電力変換装置の出力電圧値が前記メインバッテリ電圧検出部の値を超えないように前記サブバッテリ充電部の充電動作を制御する、電子機器。
【請求項１３】
請求項１から１２のいずれか１項に記載の電子機器であって、
前記係止状態検出部は、前記電池蓋の係止部が前記筐体から外れた時に、または前記電池蓋が前記筐体から外れた時に、前記係止状態の解除を検出する、電子機器。
【発明の詳細な説明】
【技術分野】
【０００１】
本発明は、携帯端末等に搭載されるメインバッテリの交換時にも使用できる電子機器に関する。
【背景技術】
【０００２】
近年、電子機器は、携帯電話等の一般的な端末機や業務用の手軽な情報処理装置として種々様々な分野に利用されてきている。特に業務用では、屋外で長時間使用されることからメインバッテリの交換可能な電子機器が提案されている（例えば特許文献１〜３参照）。
【０００３】
特許文献１では、電力を供給する２つの電池を備え、各電池の電圧を監視して、電池残量が最小かつ基準電圧レベル以上となる電池を優先して交換することにより、通電中ないし通話中の電池交換が可能となる。
【０００４】
特許文献２では、主電源からバックアップ用電池への充電を行い、主電源の電圧が所定電圧以下となったとき、主電源からバックアップ電源に切り替えることにより、本体装置の所定の機能が維持され、バックアップ用主電源の交換や管理が不要になる。
【０００５】
特許文献３では、電力供給用の二次電池パックを乾電池パックと交換可能として、二次電池パックを消耗しても乾電池パックを使用できることにより、ＡＣアダプタが使用できない環境下であっても長時間の動作が可能となる。
【先行技術文献】
【特許文献】
【０００６】
【特許文献１】特開２０００−３２１００号公報
【特許文献２】特開２００１−３５２６９２号公報
【特許文献３】特許第３５９４０７８号公報
【発明の概要】
【発明が解決しようとする課題】
【０００７】
メインバッテリとサブバッテリとで電子機器に電力の供給を可能とし、メインバッテリを交換可能とした提案がなされてはいる（特許文献１〜４参照）。しかしながら、電子機器の小型化等の進展から使用されるバッテリには大きさや容量の制限がある。メインバッテリ交換中において、メインバッテリより小型で小容量のサブバッテリをメインバッテリと同一の電力供給量で使用すると、短時間で電子機器が使用できない危険性を生じてしまう可能性がある。
【０００８】
本発明は、上記事由に鑑みてなされたものであり、その目的は、メインバッテリ交換中に省電力モードに移行させサブバッテリの電力供給量を制限できる電子機器を提供することにある。
【課題を解決するための手段】
【０００９】
本発明の電子機器は、筐体と、前記筐体に対して取り外し可能に収納され、電力供給に主として使用されるメインバッテリと、前記筐体に対して取り外し可能であり、前記筐体への取り付け時に前記メインバッテリを覆う電池蓋と、前記筐体内に収納され、前記メインバッテリによる電力供給のバックアップに使用されるサブバッテリと、前記電池蓋が前記筐体に対する係止状態であるか否かを検出する係止状態検出部と、前記メインバッテリおよび前記サブバッテリに対する制御を行う制御部と、を備え、前記制御部は、前記係止状態検出部による前記係止状態の解除検出時に、当該制御部の動作を通常モードから省電力モードへ移行する。
【００１０】
本発明の電子機器の一多様として例えば、画像を表示する表示部および画像を撮像する撮像部を更に備え、前記省電力モードにおいて、前記制御部は少なくとも前記表示部および前記撮像部をオフにするとともに、当該制御部の動作クロック周波数を低下させる。
【００１１】
本発明の電子機器の一多様として例えば、前記省電力モードにおいて、前記サブバッテリの残存容量を通知する通知部を更に備える。
【００１２】
本発明の電子機器の一多様として例えば、前記省電力モードにおいて、前記サブバッテリの残存容量が所定の値以下になった場合、前記制御部はスリープモードへ移行する。
【００１３】
本発明の電子機器の一多様として例えば、前記スリープモード中に新しいメインバッテリが前記筐体に取り付けられた場合において、当該メインバッテリの残存容量が所定の値以上であり、かつ前記係止状態検出部が前記係止状態を検出した場合、前記制御部は前記通常モードへ移行する。
【００１４】
本発明の電子機器の一多様として例えば、少なくとも前記新しく筐体に取り付けられたメインバッテリの残存容量が所定の値以上であることを含む情報を通知する通知部を更に備える。
【００１５】
本発明の電子機器の一多様として例えば、前記スリープモードにおいて、前記制御部が、制御処理に必要なクロックを停止または当該制御部の電源をオフし、当該電子機器の動作を一時停止させて消費電流を抑える。
【００１６】
本発明の電子機器の一多様として例えば、前記省電力モードの時点において揮発メモリに記憶されたデータは、前記スリープモードへの移行後も保持される。
【００１７】
本発明の電子機器の一多様として例えば、前記筐体内部の温度を検出する温度検出部を更に備え、当該温度検出部により検出された温度が所定の範囲外である場合、前記制御部は該制御部の動作を前記通常モードからスリープモードへ移行する。
【００１８】
本発明の電子機器の一多様として例えば、前記メインバッテリから前記制御部に接続され、当該メインバッテリの電力を前記制御部に供給する第１の電路と、前記サブバッテリから前記制御部に前記第１の電路と並列関係で接続され、当該サブバッテリの電力を前記制御部に供給する第２の電路と、前記第１の電路に設けられ、少なくとも前記省電力モードにおいて開放されるスイッチング部と、を更に備える。
【００１９】
本発明の電子機器の一多様として例えば、前記メインバッテリから前記制御部に接続され、当該メインバッテリの電力を前記制御部に供給する第１の電路と、前記サブバッテリから前記制御部に前記第１の電路と並列関係で接続され、当該サブバッテリの電力を前記制御部に供給する第２の電路と、前記メインバッテリの当該電子機器への接続状態を検出するメインバッテリ接続検出部と、前記第１の電路に設けられ、少なくとも前記メインバッテリ接続検出部による前記接続状態の解除検出時に開放されるスイッチング部と、を更に備える。
【００２０】
本発明の電子機器の一多様として例えば、前記通常モード時に前記メインバッテリの残存容量に対応したメインバッテリ電圧を検出するメインバッテリ電圧検出部と、前記通常モード時に前記サブバッテリから前記第２の電路へ電力供給するためのサブバッテリ電力変換装置と、前記メインバッテリより供給される電力で前記サブバッテリへの充電を行うサブバッテリ充電部と、を更に備え、前記サブバッテリ電力変換装置の出力電圧値が前記メインバッテリ電圧検出部の値を超えないように前記サブバッテリ充電部の充電動作を制御する。
【００２１】
本発明の電子機器の一多様として例えば、前記係止状態検出部は、前記電池蓋の係止部が前記筐体から外れた時に、または前記電池蓋が前記筐体から外れた時に、前記係止状態の解除を検出する。
【発明の効果】
【００２２】
本発明の電子機器によれば、メインバッテリとメインバッテリによる電力供給のバックアップ用サブバッテリと、を備え、電池蓋が筐体からの係止状態の解除検出時に、制御部の動作を通常モードから省電力モードへ移行している。従って、メインバッテリ交換中に、電子機器の最小限の動作が確保でき、サブバッテリからの電力供給量の制限が行われるため、電源回路部品の小型化が可能となり、サブバッテリの小型化も可能となる。また、省電力モードへの移行であるため、記憶途上のデータを保持でき、作業中もユーザが安心してメインバッテリの交換が可能となる。
【図面の簡単な説明】
【００２３】
【図１】本発明に係る電子機器の一例を示し、（ａ）正面図、（ｂ）裏面図。
【図２】本発明に係る電子機器の一例を示すブロック図。
【図３】本発明に係る電子機器の動作の一例を示すフローチャート図。
【発明を実施するための形態】
【００２４】
以下、本発明に係る電子機器の好適な実施形態を、図１〜図３に基づいて詳述する。
【００２５】
図１は、本発明に係る電子機器の一例を示し、（ａ）は正面図、（ｂ）は裏面図である。
【００２６】
電子機器１は、筐体２と、筐体２内に収納される表示部３と、表示部３とは反対側の筐体２の裏面側に筐体２に対して取り外し可能な電池蓋４と、を備える。また、電池蓋４の周縁近傍には、電池蓋４の取り外しを可能とする係止部５と、係止部５の係止と解除を検知する係止状態検出部６とが設けられている。そして、筐体２内には、電池蓋４に覆われ筐体２に対して取り外し可能なメインバッテリ７と、メインバッテリ７とは異なる位置にサブバッテリ８が収納されている。更に、筐体２の裏面側には、バッテリ残存容量等をユーザに知らせる通知部９と、撮像用の撮像部１０とが備えられている。
【００２７】
電子機器１は、例えば、スマートフォン等の携帯電話、タブレット、カメラ付き携帯端末、デジタルカメラ、測定器や検出器等の情報端末、等である。表示部３は、液晶パネル（ＬＣＤ）や有機ＥＬパネル等のディスプレイであり、指やペンを接触させて各種の処理を行うＵＩ（ユーザーインターフェース）型のタッチパネルでもある。また、表示部３は、撮像部１０で撮像された画像、アプリケーションのアイコンや各種ユーザに必要な情報を表示する。係止部５は、電池蓋４を筐体２に確実に係止しユーザによる筐体２からの電池蓋４の取り外しを容易にしている、例えば爪やフック等の係合構造を成している。
【００２８】
係止状態検出部６は、係止部５の係止状態または解除状態を検知し、例えばホール素子や導電性の接点等の電気的、機械的、光学的な検知手段を有している。係止状態検出部６の電池蓋４の筐体２からの取り外しの検知範囲は、僅かな解除状態から筐体２からの完全な取り外しまで自由に設定可能である。
【００２９】
メインバッテリ７は、例えばリチウムイオン電池やニッケル水素電池等であり、外部の充電器等から供給される電力により充電され、充電された電力により電子機器１に備えられている各種構成を動作させる。サブバッテリ８は、メインバッテリ７による電子機器１への電力供給のバックアップに利用され、例えばコンデンサー等の蓄電池型デバイスや小型のリチウムイオン電池等である。
【００３０】
通知部９は、例えばＬＥＤや小型の液晶等からなる点灯や表示を行うものであり、ユーザに点灯や点滅、輝度や色またはパターンの変化、アイコン等でメインバッテリ７またはサブバッテリ８の残存容量やメインバッテリ７の交換中であること等を知らせる。また、通知部９は、撮像部１０のピクチャーライトと共用しても良く、専用に設けられていても良い。撮像部１０はＣＣＤ、ＣＭＯＳセンサ等多数の画素（ピクセル）の集合体から成る撮像素子を備えているカメラと連動し、各種の画像を撮像する。
【００３１】
図２は、本発明に係る電子機器の一例を示すブロック図である。
【００３２】
電子機器１は、制御部２０と、制御部２０を中心とする制御領域には、上述の表示部３と通知部９と撮影部１０とが設けられ、揮発メモリ（ＲＡＭ）２１と、不揮発メモリ（ＲＯＭ）２２と、通信部２３と、パワーマネジメントＩＣ２４とを備えている。
【００３３】
制御部２０は、ＣＰＵ等からなり、メインバッテリ７やサブバッテリ８の制御を行い、不揮発メモリ２２に記憶されているＯＳや各種プログラムに基づいて、各種機能を実現するための制御や各種演算を行う。揮発メモリ２１や不揮発メモリ２２は、内蔵のハードデスクやフラッシュメモリ等であり、電子機器１で使用される各種データ等を記憶する。通信部２３は、筐体２内に取り付けられているアンテナと連動し、インターネットや携帯通信網を利用して各種通信情報の双方向通信、ＧＰＳ（Global Positioning System）との連携による位置情報の取得等を行う。パワーマネジメントＩＣ２４は、上述の各種制御構成に対して供給電圧の分配や変動および供給電圧のＯＮ／ＯＦＦを行う。
【００３４】
また、電子機器１は、上述の制御構成の他、メインバッテリ７近傍に、メインバッテリ電圧検出部３０と、メインバッテリ接続検出部３１と、スイッチング部３２とが実装されている。またサブバッテリ８近傍には、サブバッテリ充電部３５と、サブバッテリ電圧検出部３６と、サブバッテリ電力変換装置３７とが実装されている。更に、電子機器１には、電子機器１の内部温度を測定している温度検出部４０が備えられている。そして、メインバッテリ７と制御部２０とは第１の電路５１で電気的に接続され、第１の電路５１上にはメインバッテリ電圧検出部３０とメインバッテリ接続検出部３１とスイッチング部３２とが設けられている。一方、サブバッテリ８と制御部２０とは第１の電路５１と並列関係である第２の電路５２で電気的に接続され、第２の電路５２上にはバッテリ電圧検出部３６と、サブバッテリ電力変換装置３７と、逆流防止用のダイオード３８が設けられている。尚、ダイオード３８は逆流防止のために設けられており、サブバッテリ充電部３５、サブバッテリ電力変換装置３７が逆流変換防止機能を有する場合は不要である。
【００３５】
メインバッテリ電圧検出部３０は、メインバッテリ７の残存容量に対応したメインバッテリ電圧を検出する。メインバッテリ接続検出部３１は、例えばピン型等のコネクタや端子であり、メインバッテリ７の電子機器１への接続状態を検出する（図中小四角形状参照）。スイッチング部３２は、メインバッテリ接続検出部３１によるメインバッテリ７の接続状態に対して解除が検出された際に開放（ＯＦＦ）状態にする。
【００３６】
サブバッテリ充電部３５は、メインバッテリ７より供給される電力でサブバッテリ８への充電を行う。サブバッテリ電圧検出部３６は、サブバッテリ８の残存容量に対応したサブバッテリ電圧を検出する。
【００３７】
サブバッテリ電力変換装置３７は、同期整流型ＤＣ／ＤＣコンバータであり、サブバッテリ８から第２の電路５２へ電力供給する。また、制御部２０は、サブバッテリ電力変換装置３７から出力される電圧値Ｖｏｕｔがメインバッテリ電圧検出部３０で検出されるメインバッテリ７の電圧値Ｖｄｅｔを超えないようにサブバッテリ充電部３５の充電動作を制御している。尚、制御部２０が制御することを述べたが、メインバッテリ電圧検出部３０で制御しても良い。また、サブバッテリ電力変換装置３７から出力される電圧値Ｖｏｕｔは、メインバッテリ７の脱落を検出した場合に、制御部２０が制御するようにしてもよい。
【００３８】
本発明の電子機器１は、メインバッテリ７を新しいメインバッテリ７に交換中でもサブバッテリ８による電子機器１が動作可能な、所謂、電源を入れたままパーツを交換できるホットスワップ（活線挿抜）に関する。メインバッテリ７を新しいメインバッテリ７に交換中は、サブバッテリ８からの電力供給を行っているが、サブバッテリ８の供給能力を最大限に引き延ばすために、電子機器１を通常モードから省電力モードに移行している。具体的な動作について、図３のフローチャート図を一例として説明する。
【００３９】
＜ステップＳ１：係止状態解除検出＞
メインバッテリ７の残存容量が減少しメインバッテリ７を交換する場合、ユーザは、電池蓋４を筐体２から外すために係止部５の係止を解除する。係止部５の係止状態を常に監視している係止状態検出部６は、係止が解除されたことを検出し制御部２０に通知する。係止が解除されたとは、単に係止部５の筐体２への係止が解除された状態でも良く、電池蓋４が完全に筐体２から外れた状態でも良い。従って、係止状態検出部６は、電池蓋４の係止部５が筐体２から外れた時に、または電池蓋４が筐体２から外れた時に、係止状態の解除を検出することになる。
【００４０】
＜ステップＳ２〜Ｓ３：温度測定と判定＞
係止部５の係止が解除された状態の通知を受けた制御部２０は、温度検出部４０で検出される電子機器１の筐体２内部の温度データを取得し、温度が所定の値（例えば０℃より高いか否か）内であるか否かを判定する。サブバッテリ８は、メインバッテリ７に比較して小型で簡易型のバッテリであり、低温になるとメインバッテリ７より化学反応が不活性化し易い。即ち、低温ではサブバッテリ８の電池容量の低下や内部インピーダンスの増加が起こりやすくなる。従って、温度の閾値を設けることによりサブバッテリ８に対する負荷を軽減できる可能性がある。尚、一例として０℃を述べたが、特に限定される値ではなく、また、高温でも同様な現象を生じるため、上限値と下限値との範囲（閾値）を決めても良い。
【００４１】
温度が所定の値（例えば０℃）以下であると判定した場合（ステップＳ３がＹｅｓ）、制御部２０は、制御部２０の動作を通常モードから省電力モードに移行する（後述のステップ４参照）。また、温度が所定の値外であると判定した場合（ステップＳ３がＮｏ）、制御部２０は制御部２０の動作を通常モードからスリープモードへ移行する（後述のステップＳ１１参照）。通常モードとは、メインバッテリ７で電子機器１が動作している状態のことを指し、電池蓋４の係止部５が解除された状態またはメインバッテリ７が筐体２から外れた状態になるまでを指す。
【００４２】
メインバッテリ７の電気的接続が外れたか否かは、メインバッテリ接続検出部３１で検知している。メインバッテリ接続検出部３１が、メインバッテリ７の接続状態が解除されたことを検知すると、検知信号を制御部２０に送信し、制御部２０はスイッチング部３２を開放（ＯＦＦ）する。スイッチング部３２を開放することにより、サブバッテリ８からの逆流を防止することが可能であり、メインバッテリ接続検出部３１へ金属等が接触して電流が流れる危険性を防止することも可能である。
【００４３】
＜ステップＳ４：省電力処理＞
制御部２０は、制御部２０の動作を省電力モードに移行させると共に、表示部３や撮像部１０の動作をオフさせ、制御部２０の動作クロック周波数を低下させる処理を行う。どの構成をオフさせるかは、電子機器１の種類や使用状況によって変更可能であり、電力の消費量が多い構成から順にオフすることも可能である。また、サブバッテリ８の動作電圧を下げるために動作クロック周波数を下げることも省電力に繋がり、複数のコアからなる制御部２０の一部のコアを低下させても良い。
【００４４】
省電力モードに移行することにより、電子機器１の必要最小限の動作が確保でき、サブバッテリ８からの電力供給量の制限が行われるため、電源回路部品の小型化が可能となり、サブバッテリ８の小型化も可能となる。また、メインバッテリ７の電池交換は、作業中に行われることもあり、省電力モードであれば作業中に取得しているデータや情報の記憶も保持できる。
【００４５】
＜ステップＳ５：ＬＥＤ点灯開始＞
制御部２０は、メインバッテリ７交換中であることをユーザに知らせるため通知部９を動作させる。通知部９は、上述したようにＬＥＤや小型の液晶等からなる点灯や表示が可能であるが、フローチャート図による実施形態ではＬＥＤを一例として説明する。通知部９の動作とは、具体例としてＬＥＤの点灯である。ＬＥＤを点灯することにより、ユーザは情報取得等の作業中においてもメインバッテリ７の交換中であることを認識でき、確実に交換を行うことが可能となる。また、通知部９が電池蓋４と筐体２の同一面側にあることにより、ユーザにメインバッテリ７の交換中であることを容易に通知可能となる。尚、通知部９はスピーカ等で実現し、鳴動により通知を行ってもよい。また、通知部９はバイブレータなどの振動発生器等で実現し、振動によりユーザに通知しても良い。
【００４６】
＜ステップＳ６：交換確認判定＞
ユーザは新しいメインバッテリ７を筐体２内に収納し、電池蓋４を筐体２に取り付けることによりメインバッテリ７の交換を完了する。メインバッテリ接続検出部３１は、メインバッテリ７が接続されたか否かと、交換されたメインバッテリ７が正規バッテリであるか否かを制御部２０に通知する。また、係止状態検出部６は、確実に電池蓋４が筐体２に取り付けられた否かを検出して係止状態を制御部２０に通知する。
【００４７】
そして、制御部２０が、メインバッテリ７が正しく接続されたこと、交換されたメインバッテリ７が正規のバッテリであること、および電池蓋４が筐体２に係止状態であることを判定する。メインバッテリ７の交換が完了し問題が無いと判定した場合（ステップＳ６がＹｅｓ）、ステップＳ１３に進む。制御部２０が、メインバッテリ７の交換等が行われていない状態を含む未確認状態であると判定した場合（ステップＳ６がＮｏ）、サブバッテリ８の残存容量を判定するステップＳ７に進む。
【００４８】
＜ステップＳ７：サブバッテリ残量５０％以下の判定＞
サブバッテリ電圧検出部３６は、サブバッテリ８の残存容量を検知してデータを制御部２０に送り、制御部２０は残存容量が所定の値（例えば５０％）以下であるか否かを判定する。所定の値以下になっていないと判定した場合（ステップＳ７がＮｏ）、ステップＳ６でループし、所定の値以下であると判定した場合（ステップＳ７がＹｅｓ）、通知部９の通知形態を変更するステップＳ８に進む。
【００４９】
＜ステップＳ８：ＬＥＤ点滅開始＞
通知部９の通知形態を変更させることにより、ユーザにサブバッテリ８が所定の値以下になってきていることを通知させるとともにメインバッテリ７の交換を促進させることが可能となる。実施例ではＬＥＤを点灯から点滅に変更しているが、点灯輝度、色、点灯パターンの変化やマークの変更等、ユーザが識別できる点灯形態または表示形態で良い。
【００５０】
＜ステップＳ９：サブバッテリ残量３０％以下の判定＞
サブバッテリ電圧検出部３６は、サブバッテリ８の残存容量を検知してデータを制御部２０に送り、制御部２０は残存容量が所定の値（例えば３０％）以下であるか否かを判定する。所定の値以下になっていない場合（ステップＳ９がＮｏ）、ステップＳ６でループし、所定の値以下である場合（ステップＳ９がＹｅｓ）、通知部９の通知を停止するステップＳ１０に進む。サブバッテリ残量の閾値を段階的に複数設け通知部９で知らせることにより、ユーザは電子機器１の作動状態を正確に知ることができるとともにメインバッテリ７の交換可能時間を知ることが可能である。
【００５１】
＜ステップＳ１０〜Ｓ１１：ＬＥＤ消灯とスリープ処理＞
サブバッテリの残存容量が所定の値（例えば３０％）以下となった場合、通知部９は通知を停止するためＬＥＤを消灯させる。そして、サブバッテリ８による電子機器１の動作を続けさせるとサブバッテリ８での動作保持ができなくなるため、制御部２０は、強制的に省電力モードからスリープモードへ移行する。また、上述のステップＳ３の判定でも同様であり、判定が「Ｎｏ」の場合、制御部２０は通常モードからスリープモードへ移行する。
【００５２】
そして、スリープモードの移行とともに、制御部２０は、制御処理に必要なクロックの停止と／または制御部２０の電源をオフさせて電子機器１の動作を一時停止させ、消費電流を抑える制御を行う。スリープモードに移行することで、サブバッテリ８の残存容量が少ない場合でも、メインバッテリ８の交換完了後、電子機器１の動作復帰が容易となる。上述したように、段階を追ってモード切り替えを行うため、省電力モードの時点において揮発メモリ２１に記憶されたデータは、スリープモードへの移行後も保持され、データの破壊等が回避可能である。
【００５３】
＜ステップＳ１２〜Ｓ１４：交換確認とメインバッテリ残量５％以上の判定＞
そして、ユーザがメインバッテリ７の交換が完了すると交換された新しいメインバッテリ７の残存容量をメインバッテリ電圧検出部３０で検出する。メインバッテリ７の交換が完了とは、制御部２０が、メインバッテリ７が正しく接続されたこと、交換されたメインバッテリ７が正規のバッテリであること、および電池蓋４が筐体２に係止状態であることを確認できたことを指す。そして、制御部２０は、新しいメインバッテリ７の残存容量が所定の値（例えば５％）以上であるか否かを判定する。
【００５４】
所定の値の閾値を定めることにより、電子機器１が動作できる環境を整えるとともに低残量バッテリの装着によるメインバッテリ７の供給電力の急なる停止等を未然に防ぐことが可能である。また、電池蓋４が筐体２に係止状態であることを確認することにより、メインバッテリ８が極短い時間にメインバッテリ接続検出部３１に触れたり離れたりするデバウンス現象を防ぐことが可能である。
【００５５】
制御部２０が、メインバッテリ７の交換が完了でありメインバッテリ７の残存容量が所定の値（例えば５％）以上であると判定した場合（ステップＳ１２がＹｅｓ）、通知部９の通知の変更をするステップＳ１５に進む。一方、ステップＳ６で同様の判定ができた場合（ステップＳ６がＹｅｓ）、メインバッテリ電圧検出部３０は、交換されたメインバッテリ７の残存容量を検出する（ステップＳ１３）。そして、制御部２０は、メインバッテリ電圧検出部３０からの情報に基づいてメインバッテリ７の残存容量が所定の値（例えば５％）以上であるかを判定する（ステップＳ１４）。
【００５６】
＜ステップＳ１５〜Ｓ１６：ＬＥＤ点灯と消灯＞
制御部２０が、メインバッテリ７の交換が完了し残存容量が所定の値以上であると判定した場合（ステップＳ１２がＹｅｓ）、またはメインバッテリ７の残存容量が所定の値以上であると判定した場合（ステップＳ１４がＹｅｓ）、通知部９は通知形態を変更する。通知部９の通知形態を変更するステップＳ１５では、具体例として一定時間ＬＥＤを点灯させ、ユーザにメインバッテリ７の残存容量が所定の値（例えば５％）以上であることを含む情報を通知する。そして、メインバッテリ電圧検出部３０がメインバッテリ７の残存容量が所定の値以上であることおよび係止状態検出部６が係止状態であることを検出したと制御部２０が判定すると、電子機器１のモードを移行する。即ち、ステップＳ１２からステップＳ１５では、スリープモードから通常モードへ、ステップＳ６からステップＳ１５では、省電力モードから通常モードへ移行する。
【００５７】
ステップＳ１２が「Ｎｏ」であるメインバッテリ７の交換完了が確認できないまたは残存容量が所定の値以下である場合、スリープモードが維持される。また、ステップＳ１４が「Ｎｏ」であるメインバッテリ７の残存容量が所定の値以下である場合、ＬＥＤが消灯して（ステップＳ１６）、ユーザに他のメインバッテリ７に交換する必要があることを通知する。
【００５８】
通知部９の異なる動作により、ユーザは、電子機器１が通常モードで使用できるメインバッテリ７であるか否かと正規のメインバッテリ７と交換したか否かの情報を同時に知ることが可能となり、確実で安全なメインバッテリ７の交換が可能となる。
【００５９】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００６０】
本発明に係る電子機器は、スマートフォン等の携帯電話、タブレット等の携帯端末、デジタルカメラ、携帯型パーソナルコンピュータ、測定器等のメインバッテリの交換を行う際、サブバッテリの負荷を低減しユーザが適切に交換を行うことができる用途に適用可能である。
【符号の説明】
【００６１】
１：電子機器
２：筐体
３：表示部
４：電池蓋
５：係止部
６：係止状態検出部
７：メインバッテリ
８：サブバッテリ
９：通知部
１０：撮像部
２０：制御部
２１：揮発メモリ
２２：不揮発メモリ
３０：メインバッテリ電圧検出部
３１：メインバッテリ接続検出部
３２：スイッチング部
３５：サブバッテリ充電部
３６：サブバッテリ電圧検出部
３７：サブバッテリ電力変換装置
４０：温度検出部
５１：第１の電路
５２：第２の電路
【図１】
2015023711.tif 000003
【図２】
2015023711.tif 000004
【図３】
2015023711.tif 000005